(57)【要約】  本発明は、簡便かつ安価な腫瘍の検出方法であって、一次診断として十分な確度を有すると共に安定的に利用可能な腫瘍の検出方法を提供する。本発明は、被検者の毛髪を生体試料として用い、毛髪のポリアミン及び／又はオルニチンの含有量を測定する第一工程と、前記含有量を健常者の毛髪に関する正常値と比較する第二工程と、を含み、前記含有量が正常値よりも大きくなる場合に、腫瘍が存在する可能性があると判定すること、を特徴とする腫瘍の検出方法に関する。
2017056507.tif 000002
【特許請求の範囲】
【請求項１】
被検者の毛髪を生体試料として用い、
前記毛髪のポリアミン及び／又はオルニチンの含有量を測定する第一工程と、
前記含有量を健常者の毛髪に関する正常値と比較する第二工程と、を含み、
前記含有量が前記正常値よりも大きくなる場合に、腫瘍が存在する可能性があると判定すること、
を特徴とする腫瘍の検出方法。
【請求項２】
前記第一工程において、前記オルニチンの前記含有量を測定し、
前記第二工程において、前記オルニチンの前記含有量を前記正常値と比較すること、
を特徴とする請求項１に記載の腫瘍の検出方法。
【請求項３】
前記ポリアミンがスペルミン、スペルミジン、プトレッシン及びジアミノプロパンからなる群から選択される少なくとも一つのポリアミンであること、
を特徴とする請求項１に記載の腫瘍の検出方法。
【請求項４】
前記ポリアミンがスペルミジンであること、
を特徴とする請求項１又は２に記載の腫瘍の検出方法。
【請求項５】
前記第二工程において、前記ポリアミン含有量が前記正常値の標準偏差以上となる場合に、腫瘍が存在する可能性があると判定すること、
を特徴とする請求項１〜４のいずれかに記載の腫瘍の検出方法。
【請求項６】
前記第一工程で質量分析法を用いること、
を特徴とする請求項１〜５のいずれかに記載の腫瘍の検出方法。
【請求項７】
前記第一工程の前記測定に関する試料調整の前処理として、前記毛髪に乾式粉砕を施すこと、
を特徴とする請求項１〜６のいずれかに記載の腫瘍の検出方法。
【請求項８】
前記第二工程において、前記健常者と前記被検者の年齢差を±５歳とすること、
を特徴とする請求項１〜７のいずれかに記載の腫瘍の検出方法。
【請求項９】
前記第二工程において、前記健常者を前記被検者と同一の人種及び性別とすること、
を特徴とする請求項１〜８のいずれかに記載の腫瘍の検出方法。
【請求項１０】
前記毛髪が美容院又は理容院で採取されたものであること、
を特徴とする請求項１〜９のいずれかに記載の腫瘍の検出方法。
【発明の詳細な説明】
【技術分野】
【０００１】
本発明は、毛髪を利用した簡便かつ安価な腫瘍の検出方法に関する。
【背景技術】
【０００２】
近年、腫瘍診断の需要が増加しているところ、胃がん検診の場合はＸ線検査、乳がん検診の場合は視触診及びＸ腺（マンモグラフィー）検査の組み合わせ等のように、一般的には検診毎に異なる手法が用いられている。【０００３】
しかしながら、Ｘ線等を用いた検査は被検者への負担が大きくなるだけでなく、費用及び時間的な観点からも問題がある。また、検査できる機関や場所が限られていることから、受診率が高いとは言い難い。ここで、腫瘍の有無について簡便かつ安価に一次診断（スクリーニング）することができれば、定期的な状況確認が可能となり、腫瘍の早期発見によって治療の可能性を飛躍的に高めることができる。【０００４】
これに対し、例えば、特許文献１（特許第４６０８４３２号公報）では、Ｎ1，Ｎ12−ジアセチルスペルミンに対する抗体と生体試料とを反応させることを特徴とする早期癌の検出方法であって、生体試料を尿とする検出方法、が提案されている。【０００５】
上記特許文献１に記載の検出方法においては、ジアセチルスペルミンが腫瘍マーカーとして有用である点を見出し、ジアセチルスペルミン類似物質であるその他の尿中ポリアミンには交差反応せず、ジアセチルスペルミンに対してのみ特異的に反応する抗体を作製することに成功した、としている。【０００６】
また、特許文献２（国際公開第ＷＯ２０１１／１３６３４３号）では、生体組織中のＮ1，Ｎ12−ジアセチルスペルミンの量を測定し、得られる測定結果と腫瘍とを関連づけることを特徴とする腫瘍の検出方法であって、当該測定は、患部組織中のＮ1，Ｎ12−ジアセチルスペルミンの量と当該患部周辺の正常組織中のＮ1，Ｎ12−ジアセチルスペルミンの量とをともに測定するものであることを特徴とする検出方法、が提案されている。【０００７】
上記特許文献２に記載の検出方法においては、同一個体（同一患者等）に由来する生体組織、すなわち患部組織とその周辺の正常組織とについて、単位組織重量あたりのＮ1，Ｎ12−ジアセチルスペルミン含有量を比較することにより、当該含有量の個体差による影響を消去することができるため、極めて高い確度で癌組織の存在を判定することができる、としている。
【先行技術文献】
【特許文献】
【０００８】
【特許文献１】特許第４６０８４３２号公報
【特許文献２】国際公開第ＷＯ２０１１／１３６３４３号
【発明の概要】
【発明が解決しようとする課題】
【０００９】
しかしながら、上記特許文献１に記載の検出方法では、被検者自身が汚染を排して尿を採取し、分析機関に送付する必要がある。更に、尿の組成は体調に影響されやすいことに加え、悪性腫瘍以外の炎症、感染症、熱傷及び膠原病等によってもポリアミン量が高値を示すことが知られている。【００１０】
また、上記特許文献２に記載の検出方法では、外科的手術による切除、内視鏡下生検及び針生検等によって被検者から生体組織を採取する必要があり、被検者の身体的負担が大きくなってしまう。また、費用及び時間的な問題も依然として存在している。【００１１】
以上のような従来技術における問題点に鑑み、本発明の目的は、簡便かつ安価な腫瘍の検出方法であって、一次診断として十分な確度を有すると共に安定的に利用可能な腫瘍の検出方法を提供することにある。
【課題を解決するための手段】
【００１２】
本発明者は上記目的を達成すべく、腫瘍の検出方法について鋭意研究を重ねた結果、毛髪のポリアミン含有量を測定すること等が極めて有効であることを見出し、本発明に到達した。【００１３】
即ち、本発明は、
被検者の毛髪を生体試料として用い、
前記毛髪のポリアミン及び／又はオルニチンの含有量を測定する第一工程と、
前記含有量を健常者の毛髪に関する正常値と比較する第二工程と、を含み、
前記含有量が前記正常値よりも大きくなる場合に、腫瘍が存在する可能性があると判定すること、
を特徴とする腫瘍の検出方法を提供する。【００１４】
ポリアミンは、プトレッシン、カダベリン、スペルミジン及びスペルミン並びにそれらの誘導体等の総称で、アミノ酸の一種であるアルギニンやオルニチンによって体内で合成され、生体内に広く分布する生理活性物質である。ポリアミンの代謝は細胞増殖と関連して活性化され、種々の癌組織で正常組織と比較して含有量が増加することが知られている。【００１５】
ポリアミンに着目した従来の腫瘍の検出方法では、生体試料が癌組織や尿であることから、採取が困難である等の問題があった。これに対し、本発明の腫瘍の検出方法においては、被検者の毛髪を生体試料とすることで、被検者の身体的負担を大幅に低減することができることに加え、被検者自身によって生体試料を容易に採取することができる。なお、毛髪のポリアミン含有量を評価する着想は本発明者によって初めてなされたものであり、当該含有量と腫瘍の存在に相関があることは、本発明者の検証によって明らかになったものである。【００１６】
オルニチン（ＯＲＮ）はアミノ酸の１種で、尿素回路を構成する物質の１つである。本発明者は、癌患者の毛髪に含まれるオルニチン（ＯＲＮ）含有量について鋭意検討した結果、癌患者の毛髪ではオルニチン（ＯＲＮ）含有量が増加する傾向にあるということが明らかとなった。つまり、当該オルニチン（ＯＲＮ）含有量によっても腫瘍の有無を簡便かつ効率的にスクリーニングすることができる。【００１７】
第一工程において毛髪のポリアミン及び／又はオルニチンの含有量を測定する方法は、本発明の効果を損なわない限りにおいて、従来公知の測定方法を用いることができるが、各種質量分析を用いることが好ましい。質量分析としては、例えば液体クロマトグラフィー質量分析（ＬＣ／ＭＳ／ＭＳ分析）やエレクトロスプレーイオン化液体クロマトグラフィー質量分析（ＬＣ／ＥＳＩ−ＭＳ／ＭＳ分析）を用いることができる。【００１８】
ここで、前記第一工程の前記測定に関する試料調整の前処理として、前記毛髪に乾式粉砕を施すこと、が好ましい。抽出溶媒中で湿式粉砕する毛髪に対して予め乾式粉砕を施すことで、溶媒中への被測定成分の抽出を効率的に行うことができ、質量分析で得られる測定強度を向上させることができる。【００１９】
第二工程における毛髪のポリアミンやオルニチンの含有量の比較において、「健常者の毛髪に関する正常値」とは、被検者自身に関する過去の測定値及び／又は予め取得したデータベース（種々の年齢、性別及び人種の健常者から毛髪を採取してポリアミンやオルニチンの含有量を測定して作成したもの）の値を用いることができる。【００２０】
本発明の腫瘍の検出方法においては、第一工程で測定されたポリアミン及び／又はオルニチンの含有量が正常値の標準偏差以上となる場合に、腫瘍が存在する可能性がると判定（陽性判定）乃至は警告することで、被検者は極めて高い確度で腫瘍の存在を認識することができる。なお、腫瘍の種類や場所等のより詳細な情報が必要な場合は、本発明の腫瘍の検出方法によって陽性と判定された後に一般的な検査を受診すればよい。【００２１】
本発明の腫瘍の検出方法においては、前記第一工程において、前記オルニチンの前記含有量を測定し、前記第二工程において、前記オルニチンの前記含有量を前記正常値と比較すること、が好ましい。腫瘍が存在すると毛髪のポリアミン及びオルニチンの含有量が増加する傾向にあるが、特にオルニチンにおいて顕著であり、オルニチンの含有量を指標とすることで簡便かつ効率的に腫瘍を検出することができる。【００２２】
また、本発明の腫瘍の検出方法においては、前記ポリアミンがスペルミン、スペルミジン、プトレッシン及びジアミノプロパンからなる群から選択される少なくとも一つのポリアミンであること、が好ましく、スペルミジンであることがより好ましい。腫瘍が存在すると毛髪のポリアミン含有量が増加する傾向にあるが、特にスペルミン、スペルミジン、プトレッシン及びジアミノプロパンにおいて顕著であり、スペルミジンにおいて最も明瞭に現れる場合が多い。【００２３】
また、本発明の腫瘍の検出方法においては、健常者と被検者の年齢差を±５歳とすること、が好ましい。毛髪のポリアミン及びオルニチンの含有量は被検者の年齢に影響されるが、健常者と被検者の年齢差を±５歳とすることで、腫瘍の検出をより正確に行うことができる。【００２４】
また、本発明の腫瘍の検出方法においては、健常者を被検者と同一の人種及び性別とすること、が好ましい。毛髪のポリアミン及びオルニチンの含有量は人種及び性別にも影響されることから、健常者と被検者を同じ人種及び性別とすることで、腫瘍の検出をより正確に行うことができる。【００２５】
また、本発明の腫瘍の検出方法においては、前記毛髪が美容院又は理容院で採取されたものであること、が好ましい。美容院及び理容院は定期的に通う場所であることに加え、カットされた毛髪の採取が容易であり、不要な労力を用いることなく生体試料を確保することができる。また、美容師又は理容師に予め説明しておくことで、採取する毛髪の場所及び洗浄状態等を一定に保つことができる。【００２６】
更に、本発明の腫瘍の検出方法においては、美容院又は理容院の顧客管理システム等により、毛髪採取の履歴を残すことで、継続的に採取情報を確認することができ、「健康に対する気づき」や「受診率及び発見率の向上」等に資することができる。美容院又は理容院は店舗数が多いだけでなく、種々の顧客情報を保有していることから、生体試料としての毛髪を採取する場所として好適に活用することができる。
【発明の効果】
【００２７】
本発明によれば、簡便かつ安価な腫瘍の検出方法であって、一次診断として十分な確度を有すると共に安定的に利用可能な腫瘍の検出方法を提供することができる。
【図面の簡単な説明】
【００２８】
【図１】本発明の腫瘍の検出方法の工程図である。
【図２】ポリアミン類の含有量の平均値及び標準偏差を示すグラフである。
【図３】オルニチン含有量の平均値を示すグラフである。
【図４】実施例２における分析の工程図である。
【図５】実施例３におけるオルニチンの測定結果である。
【図６】実施例３におけるジアミノプロパンの測定結果である。
【図７】実施例３におけるプトレシンの測定結果である。
【発明を実施するための形態】
【００２９】
以下、図面を参照しながら本発明の腫瘍の検出方法の代表的な実施形態について詳細に説明するが、本発明はこれらのみに限定されるものではない。なお、以下の説明では、同一または相当部分には同一符号を付し、重複する説明は省略する場合がある。
【００３０】
図１は、本発明の腫瘍の検出方法の工程図である。本発明の腫瘍の検出方法は、被検者から採取した毛髪のポリアミン及び／又はオルニチンの含有量を測定する第一工程（Ｓ０１）と、ポリアミン及び／又はオルニチンの含有量を比較する第二工程（Ｓ０２）と、を含んでいる。以下、これら各工程について詳細に説明する。
【００３１】
（１）毛髪の採取（予備工程（Ｓ００））
予備工程（Ｓ００）は、被検者から毛髪を採取し、生体試料を確保する工程である。毛髪を採取する方法は、本発明の効果を損なわない限りにおいて特に限定されないが、可能な限り汚染を排し、定期的に検査を行う場合は略同一箇所から採取することが好ましい。
【００３２】
毛髪の採取は被検者自身によっても容易に行うことができるが、美容院又は理容院で採取してもらうことで、採取する毛髪の場所及び洗浄状態等を一定に保つことができる。また、美容院又は理容院は定期的に通う場所であり、無数に存在することから、無理なく継続的に腫瘍の有無を確認するための毛髪を採取することができる。
【００３３】
（２）ポリアミン及び／又はオルニチンの含有量の測定（第一工程（Ｓ０１））
第一工程（Ｓ０１）は、生体試料である毛髪のポリアミン及び／又はオルニチンの含有量を測定する工程である。上述のとおり、毛髪のポリアミン及び／又はオルニチンの含有量を測定する方法は、本発明の効果を損なわない限りにおいて、従来公知の測定方法を用いることができるが、各種質量分析を用いることが好ましい。質量分析としては、例えば、ＬＣ／ＭＳ／ＭＳ分析やＬＣ／ＥＳＩ−ＭＳ／ＭＳ分析を用いることができる。
【００３４】
質量分析を用いて毛髪のポリアミン及び／又はオルニチンの含有量を測定する場合、細かく裁断した毛髪を超音波洗浄後、乾燥させた毛髪をミクロ粉砕機で微粉末とすることで測定用試料を得ることができる。
【００３５】
ここで、上述の通り、試料調整の前処理として、毛髪に乾式粉砕を施すこと、が好ましい。抽出溶媒中で湿式粉砕する毛髪に対して予め乾式粉砕を施すことで、溶媒中への被測定成分の抽出を効率的に行うことができ、質量分析で得られる測定強度を向上させることができる。
【００３６】
得られた測定用試料について、例えば、Ａｎ  ｕｌｔｒａ−ｐｅｒｆｏｒｍａｎｃｅ  ｌｉｑｕｉｄ  ｃｈｒｏｍａｔｏｇｒａｐｈｙ−ｅｌｅｃｔｒｏｓｐｒａｙ  ｔａｎｄｅｍ  ｍａｓｓ  ｓｐｅｃｔｒｏｍｅｔｒｙ  （ＵＰＬＣ−ＥＳＩ−ＭＳ／ＭＳ）ｍｅｔｈｏｄを用いることによって、１１種のポリアミン類（スペルミン（ＳＰＭ），Ｎ−アセチルスペルミン（Ｎ−ａｃｔＳＰＭ），スペルミジン（ＳＰＤ），Ｎ，Ｎ−ジアセチルスペルミン（Ｎ，Ｎ−ｄｉａｃｔＳＰＭ），Ｎ１−アセチルスペルミジン（Ｎ１−ａｃｔＳＰＤ），Ｎ８−アセチルスペルミジン（Ｎ８−ａｃｔＳＰＤ），カダベリン（ＣＡＤ），プットレシン（ＰＵＴ），ジアミノプロパン（ＤＡＰ），Ｎ，Ｎ−ジアセチルスペルミジン（Ｎ，Ｎ−ｄｉａｃｔＳＰＤ），Ｎ−アセチルプトレッシン（Ｎ−ａｃｔＰＵＴ））を完全に分離・検出することができる。なお、同様の測定によりオルニチン（ＯＲＮ）の含有量も知ることができる。本発明者は、癌患者の毛髪ではオルニチン（ＯＲＮ）含有量が増加する傾向にあるということも明らかにしており、当該オルニチン（ＯＲＮ）含有量によっても腫瘍の有無をスクリーニングすることができる。
【００３７】
（３）ポリアミン及び／又はオルニチンの含有量の比較（第二工程（Ｓ０２））
第二工程（Ｓ０２）は、第一工程（Ｓ０１）で得られた毛髪のポリアミン及び／又はオルニチンの含有量と、健常者の毛髪に関する正常値と、を比較して、腫瘍の存在の有無を判定する工程である。第一工程（Ｓ０１）で得られた毛髪のポリアミン及び／又はオルニチンの含有量が健常者の毛髪に関する正常値よりも大きい場合に、腫瘍存在の可能性がある。ここで、上述のとおり、「健常者の毛髪に関する正常値」とは、被検者自身に関する過去の測定値（腫瘍がないと認められる状態において測定されたもの）及び／又は予め取得したデータベース（種々の年齢、性別及び人種の健常者から毛髪を採取してポリアミン及び／又はオルニチンの含有量を測定して作成したもの）の値を用いることができる。
【００３８】
ここで、被検者に関する値と比較する値は、当該被検者との年齢差が±５歳となる健常者から採取された毛髪の値であることが好ましい。毛髪のポリアミンやオルニチンの含有量は年齢によって多少変化するところ、年齢差を±５歳とすることでより正確に腫瘍の有無に関するスクリーニングを実現することができる。
【００３９】
更に、被検者に関する値と比較する値は、当該被検者と同一の人種及び性別である健常者から採取された毛髪の値であることが好ましい。毛髪のポリアミンやオルニチンの含有量は人種及び性別によって多少変化するところ、人種及び性別を同一とすることでより正確に腫瘍の有無に関するスクリーニングを実現することができる。
【００４０】
健常者の毛髪に関する正常値は、被検者の特徴に合致する特定の値を用いることもできるが、可能な限り多くの値を参照することが好ましい。被検者の特徴（年齢差、人種及び性別）と一致又は類似する健常者に関する複数のデータを参照することで、より正確に腫瘍の有無に関するスクリーニングを実現することができる。
【００４１】
本発明の腫瘍の検出方法においては、第一工程で測定されたポリアミンやオルニチンの含有量が正常値の標準偏差以上となる場合に、腫瘍が存在する可能性があると判定（陽性判定）乃至は警告することで、被検者は極めて高い確度で腫瘍の存在を認識することができる。なお、腫瘍の種類や場所等のより詳細な情報が必要な場合は、本発明の腫瘍の検出方法によって陽性と判定された後に一般的な検査を受診すればよい。
【００４２】
ここで、上述の通り、腫瘍が存在する可能性があるとの判定（陽性判定）乃至は警告は、被検者自身に関する過去の測定値（腫瘍がないと認められる状態において測定されたもの）及び／又は予め取得したデータベース（種々の年齢、性別及び人種の健常者から毛髪を採取してポリアミン及び／又はオルニチンの含有量を測定して作成したもの）の値が基準となるが、例えば、オルニチンを指標とする場合、毛髪１ｍｇ当たりの検出値が２５ｐｍｏｌ以上となった場合に陽性判定とすることができ、より確実には５０ｐｍｏｌ以上となった場合に陽性判定とすることができる。
【００４３】
また、本発明の腫瘍の検出方法においては、比較対象とするポリアミンをスペルミン、スペルミジン、プトレッシン及びジアミノプロパンからなる群から選択される少なくとも一つのポリアミンとすること、が好ましく、スペルミジンとすることがより好ましい。腫瘍が存在すると毛髪のポリアミン含有量が増加する傾向にあるが、特にスペルミン、スペルミジン、プトレッシン及びジアミノプロパンにおいて顕著であり、スペルミジンにおいて最も明瞭に現れる場合が多い。
【００４４】
以上、本発明の代表的な実施形態について説明したが、本発明はこれらのみに限定されるものではなく、種々の設計変更が可能であり、それら設計変更は全て本発明の技術的範囲に含まれる。
【実施例】
【００４５】
≪実施例１≫
６名の健常者及び５名の癌患者から採取した毛髪について、オルニチン及びポリアミン類の含有量を測定した。具体的には、採取した毛髪を細かく裁断し、０．１％ＳＤＳ溶液で超音波処理後、溶液を除去し、精製水を加えて超音波処理を二回繰り返し、ＳＤＳを除去した。乾燥後、マイクロ天秤で１ｍｇ程度を量り取り、抽出溶媒及びＩ．Ｓ．の１，６−ジアミノヘキサン（ＤＡＨ）を加え、タングステンビーズを入れミクロ粉砕機で微粉末としつつ抽出し、フィルターろ過後上澄液を分取した。【００４６】
溶媒留去後、４−（Ｎ，Ｎ−ｄｉｍｅｔｈｙｌａｍｉｎｏｓｕｌｆｏｎｙｌ）−７−ｆｌｕｏｒｏ−２，１，３−ｂｅｎｚｏｘａｄｉａｚｏｌｅ（ＤＢＤ−Ｆ）及び緩衝液を加えて反応させ、ＵＰＬＣ−ＥＳＩ−ＭＳ／ＭＳ（Ｗａｔｅｒｓ  Ｘｅｖｏ  ＴＱ−Ｓ）でポリアミン類の含有量を測定した。結果を表１に示す。【００４７】
【表１】
2017056507.tif 000003
【００４８】
ポリアミン類の含有量に関し、得られた測定値を用いて算出した平均値及び標準偏差を図２に示す。測定されたポリアミン類の全てにおいて、含有量は健常者よりも癌患者の方が大きくなる傾向が認められる。【００４９】
ここで、スペルミン（ＳＰＭ）、スペルミジン（ＳＰＤ）、プトレッシン（ＰＵＴ）及びジアミノプロパン（ＤＡＰ）で健常者と癌患者の値が大きく異なっており、癌患者の平均値が健常者の標準偏差以上となっている。特に、スペルミン（ＳＰＭ）では健常者と癌患者の差が顕著であり、最も感受性の高い指標として用いることができる。【００５０】
健常者及び癌患者のオルニチンの平均含有量を図３に示す。癌患者のオルニチン含有量は健常者よりも大きくなっており、当該結果は腫瘍の有無を判断するスクリーニングにオルニチン含有量の使用も可能であることを示している。【００５１】
≪実施例２≫
２３名から採取した毛髪（各被検者から約２０本を採取）について、オルニチン及びポリアミン類の含有量を測定した。ここで、２３名には、大腸癌転移の肝臓癌患者１名と食道癌患者１名が含まれており、残りの２１名については自身が癌患者か否かを認識していない。採取された毛髪について、図４に示す分析フローにてオルニチン及びポリアミン類の含有量を測定した。なお、初回の粉砕は乾式粉砕であり、その後の粉砕は湿式粉砕である。【００５２】
図４に示す分析フローに記載の各試薬は、以下のように調整した。
１．０．１％ＳＤＳ溶液
ドデシル硫酸ナトリウム（和光純薬，生化学用）１ｇと超純水１０００ｍＬを混合、溶解し、ポリ容器に保管した。
２．抽出溶媒
メタノール（和光純薬，残留農薬用）４０ｍＬと５Ｍ  ＨＣｌ（電子工業用）２ｍＬを混合し、ガラス容器に保管した。
３．０．１Ｍ  Ｂｏｒａｘ（ｐＨ  ９．３）
四ホウ酸ナトリウム・１０水（和光純薬，特級）３８．１３７ｇとＥＤＴＡ・２Ｎａ（同仁化学）０．０３７２ｇと超純水１００ｍＬとを混合、溶解し、ポリ容器に保管した。
４．４０ｍＭ  ＤＢＤ−Ｆ（４−（Ｎ，Ｎ−ｄｉｍｅｔｈｙａｍｉｎｏｓｕｌｕｐｈｏｎｙｌ）−７−ｆｌｕｏｒｏ−２，１，３−ｂｅｎｚｏｘａｄｉａｚｏｌｅ）
ＤＢＤ−Ｆ（東京化成）１００ｍｇとアセトニトリル（和光純薬，ＬＣ／ＭＳ用）１０ｍＬとを混合、溶解し、褐色ガラス容器で冷蔵保管した。
５．８０ｍＭ  ＤＢＤ−Ｆ（４−（Ｎ，Ｎ−ｄｉｍｅｔｈｙａｍｉｎｏｓｕｌｕｐｈｏｎｙｌ）−７−ｆｌｕｏｒｏ−２，１，３−ｂｅｎｚｏｘａｄｉａｚｏｌｅ）
ＤＢＤ−Ｆ（東京化成）１００ｍｇとアセトニトリル（和光純薬，ＬＣ／ＭＳ用）５ｍＬとを混合、溶解し、褐色ガラス容器で冷蔵保管した
６．０．１％ギ酸水溶液
ギ酸（和光純薬，特級）０．５ｍＬと超純水５００ｍＬとを混合し、褐色ガラス容器に保管した。
７．０．１％ギ酸アセトニトリル溶液
ギ酸（和光純薬，特級）０．５ｍＬとアセトニトリル（和光純薬，ＬＣ／ＭＳ用）５００ｍＬとを混合し、褐色ガラス容器に保管した。【００５３】
ＬＣ／ＭＳ／ＭＳ分析に関し、分離機器には島津製作所製のＵＦＬＣシステムを用い、カラムには資生堂製のＣＡＰＣＥＬＬ  ＰＡＫ  Ｃ１８  ＢＢ−Ｈ（３μｍ，１５０ｍｍ，２．１ｍｍｌＤ）を用いた。また、質量分析計にはＡＢＳｃｉｅｘ製のＡＰＩ３２００を用いた。測定に供した毛髪の情報を表２に、計測されたオルニチン及びポリアミン類の含有量を表３にそれぞれ示す。なお、表３の数値の単位は「ｐｍｏｌ／ｍｇ  Ｈａｒｉ」であり、毛髪１ミリグラムから検出された量（ｎｍｏｌ）に液量を掛けて毛髪重量で割った値が記載されている。【００５４】
【表２】
2017056507.tif 000004
【００５５】
【表３】
2017056507.tif 000005
【００５６】
癌患者であることが明らかな試料番号１２及び１３から検出されたオルニチン（ＯＲＮ）濃度は、共に５２ｐｍｏｌ／ｍｇ  Ｈａｒｉであり、健常者の平均値（５ｐｍｏｌ／ｍｇ  Ｈａｒｉ）と比較して１０倍程度高くなっている。このように、毛髪から検出されるオルニチン（ＯＲＮ）量には、癌患者と健常者の間で明確な差異が認められる。【００５７】
更に、癌患者であることが明らかな試料番号１２及び１３から検出されたポリアミン類の合計は、それぞれ１９０ｐｍｏｌ／ｍｇ  Ｈａｒｉ及び２１７ｐｍｏｌ／ｍｇ  Ｈａｒｉであり、健常者の平均値（１３６ｐｍｏｌ／ｍｇ  Ｈａｉｒ）よりも明確に高くなっている。これらの結果より、毛髪から検出されるオルニチン（ＯＲＮ）及びポリアミン類は、癌の有無を示す指標として有効であることが分かる。【００５８】
≪実施例３≫
同一の健常者から採取した毛髪１ｍｇについて、粉砕工程以外は実施例２と同様の方法（図４に示す分析フロー）にてオルニチン、ジアミノプロパン及びプトレシンの含有量を測定した。ここで、各成分の検出量に及ぼす粉砕工程の影響を確認するため、異なる時間の湿式粉砕を施した毛髪と、異なる時間の乾式粉砕を施した後に１０分間の湿式粉砕を施した毛髪について評価を行った。【００５９】
オルニチン、ジアミノプロパン及びプトレシンの測定結果を図５、図６及び図７にそれぞれ示す。いずれの図においても、横軸は乾式粉砕又は湿式粉砕の時間を示している。なお、縦軸はｎｍｏｌ／１  ｍｇ  ｈａｉｒ（ナノモーラー／毛髪１ミリグラム）である。【００６０】
図５〜図７に示されている結果より、湿式粉砕の予備処理として乾式粉砕を施した毛髪においては、いずれの成分についても検出量（検出感度）が増加していることが分かる。一方で、湿式粉砕のみを施す場合、粉砕時間を長くすることは検出量（検出感度）の増加にあまり寄与しておらず、乾式粉砕を施した場合よりも良好な測定値は得られていない。
【図１】
2017056507.tif 000006
【図２】
2017056507.tif 000007
【図３】
2017056507.tif 000008
【図４】
2017056507.tif 000009
【図５】
2017056507.tif 000010
【図６】
2017056507.tif 000011
【図７】
2017056507.tif 000012
【国際調査報告】
2017056507.tif 000013
2017056507.tif 000014
2017056507.tif 000015
2017056507.tif 000016